【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
ＡＤＨＤに感受性である対象を識別する方法であって、該対象が、ｍｃ−ＰＵＦＡのｌｃ−ＰＵＦＡへの効率のよいコンバーターであるか否かを決定することを含み、ここにおいて、効率のよいコンバーター状態が、ＡＤＨＤへの感受性を示す、前記方法。
【請求項２】
決定する工程が、
（ｉ）約６：１より大である対象の体内のアラキドン酸対ジホモ−γ−リノレン酸の比率を測定すること、または
（ｉｉ）全脂肪酸の約１０重量％より大である対象の体内のアラキドン酸レベルを測定すること、または
（ｉｉｉ）約６：１より大である対象の体内のアラキドン酸対ジホモ−γ−リノレン酸の比率を測定し、そして全脂肪酸の約１０重量％より大である対象の体内のアラキドン酸レベルを測定すること、または
（ｉｖ）全脂肪酸の約４％未満である対象の赤血球中のω−３指数を測定すること、または
（ｖ）約３より大である対象の体内のアラキドン酸対エイコサペンタエン酸の比率を測定すること、または
（ｖｉ）ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせより選択される脂肪酸デサチュラーゼ遺伝子中の単一ヌクレオチド多型性の存在を検出すること、または
（ｖｉｉ）
ａ．約６より大である対象の体内のアラキドン酸対ジホモ−γ−リノレン酸の比率を測定し、または全脂肪酸の約１０重量％より大である対象の体内のアラキドン酸レベルを測定し、そして
ｂ．ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせより選択される脂肪酸デサチュラーゼ遺伝子中の単一ヌクレオチド多型性の存在を検出すること、
を含む、請求項１に記載の方法。
【請求項３】
対象が、反抗挑戦性障害、行為障害、反社会的人格障害、境界型人格障害、覚醒の一次障害、気分障害、双極性障害、不安障害、強迫性障害、ツレット症候群（Tourette syndrome）、学習障害または物質乱用より選択される臨床的適応症を有する、請求項１に記載の方法。
【請求項４】
ｍｃ−ＰＵＦＡのｌｃ−ＰＵＦＡへの効率のよいコンバーターであると決定された対象において、ＡＤＨＤを処置するまたは予防する方法において使用するための、ω−３ｌｃ−ＰＵＦＡを含む組成物。
【請求項５】
ＡＤＨＤ療法を必要としている対象において、ＡＤＨＤ療法を投与することによってＡＤＨＤを処置するまたは予防する方法において使用するための、ω−３ｌｃ−ＰＵＦＡを含む組成物であって、対象がｍｃ−ＰＵＦＡのｌｃ−ＰＵＦＡへの効率のよいコンバーターであると決定されている、前記組成物。
【請求項６】
ＡＤＨＤ療法が、アンフェタミン、メチルフェニデート、メタンフェタミン塩酸塩、デキストロアンフェタミン、デクスメチルフェニデート、リスデキサムフェタミンジメシレート、アトモキセチン、アマンチジン、モダフィニル、ブプロピオン、ベンラファキシン、ミルナシプラン、レボキセチン、デシプラミン、ノルトリプチリン、クロニジン、グアンファシンまたはそれらの組み合わせより選択される、請求項５に記載の組成物。
【請求項７】
対象が、
（ｉ）約６：１より大である体内のアラキドン酸対ジホモ−γ−リノレン酸の比率を有する、または
（ｉｉ）全脂肪酸の約１０重量％より大である体内のアラキドン酸レベルを有する、または
（ｉｉｉ）約６：１より大である体内のアラキドン酸対ジホモ−γ−リノレン酸の比率を有し、そして全脂肪酸の約１０重量％より大である体内のアラキドン酸レベルを有する、または
（ｉｖ）全脂肪酸の約４％未満である赤血球中のω−３指数を有する、または
（ｖ）約３より大である体内のアラキドン酸対エイコサペンタエン酸の比率を有する、または
（ｖｉ）ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８またはそれらの組み合わせより選択される脂肪酸デサチュラーゼ遺伝子中の単一ヌクレオチド多型性を有する、または
（ｖｉｉ）
ａ．約６：１より大である体内のアラキドン酸対ジホモ−γ−リノレン酸の比率、または全脂肪酸の約１０重量％より大である体内のアラキドン酸レベルを有し、そして
ｂ．ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８またはそれらの組み合わせより選択される脂肪酸デサチュラーゼ遺伝子中の単一ヌクレオチド多型性を有する、
請求項４または５に記載の組成物。
【請求項８】
対象が、反抗挑戦性障害、行為障害、反社会的人格障害、境界型人格障害、覚醒の一次障害、気分障害、双極性障害、不安障害、強迫性障害、ツレット症候群、学習障害または物質乱用より選択される臨床的適応症を有する、請求項４または５に記載の組成物。
【請求項９】
組成物が、エチルエステルの形、遊離酸の形または塩の形のω−３ｌｃ−ＰＵＦＡを含む、請求項４または５に記載の組成物。
【請求項１０】
ω−３ｌｃ−ＰＵＦＡ組成物が、
（ｉ）該組成物中の脂肪酸の少なくとも約４５重量％、少なくとも約５５重量％、少なくとも約７５重量％または少なくとも約９０重量％の量でＥＰＡを含む、または
（ｉｉ）該組成物中の脂肪酸の少なくとも約１０重量％、少なくとも約２０重量％または少なくとも約３０重量％の量でＤＨＡを含む、または
（ｉｉｉ）約４．１：１または約１．２４：１〜約１．４３：１のＥＰＡ対ＤＨＡ重量比でＥＰＡおよびＤＨＡを含み、場合によりＥＰＡおよびＤＨＡがエチルエステルの形である、
請求項９に記載の組成物。
【請求項１１】
ω−３ｌｃ−ＰＵＦＡ組成物が、
（ｉ）該組成物中の脂肪酸の少なくとも約９６重量％の量でＥＰＡを含み、そして検出可能なＤＨＡを含まず、場合によりＥＰＡがエチルエステルの形である、または
（ｉｉ）該組成物中の脂肪酸の約１０重量％以下のω−６脂肪酸を含み、場合により該組成物が該組成物中の脂肪酸の約７重量％以下のω−６脂肪酸を含み、さらに場合により該組成物が該組成物中の脂肪酸の約４重量％以下のω−６脂肪酸を含む、
請求項９に記載の組成物。
【請求項１２】
組成物を経口または低脂肪食と一緒に投与する、請求項４または５に記載の組成物。
【請求項１３】
ω−３ｌｃ−ＰＵＦＡ組成物を、少なくとも２ｇ／日または少なくとも４ｇ／日の量で投与する、請求項４または５に記載の組成物。
【請求項１４】
ω−３ｌｃ−ＰＵＦＡ組成物を、ＡＤＨＤ療法に先だって投与後、ＡＤＨＤ療法と同時に投与する、請求項５に記載の組成物。
【請求項１５】
対象の血中ｌｃ−ＰＵＦＡレベルを監視し、場合により
（ｉ）対象の赤血球中のｌｃ−ＰＵＦＡレベルを監視し、および／またはｌｃ−ＰＵＦＡレベルを、ガスクロマトグラフィーを用いて監視し、または
（ｉｉ）ω−６ｌｃ−ＰＵＦＡのレベルを監視し、さらに場合によりアラキドン酸のレベルを監視し、またはアラキドン酸対ジホモ−γ−リノレン酸の比率を監視し、または
（ｉｉｉ）ω−３脂肪酸のレベルを監視し、さらに場合によりエイコサペンタエン酸またはドコサヘキサエン酸のレベルを監視し、または
（ｉｖ）ω−３指数を監視し、または
（ｖ）対象の血中のω−６ｌｃ−ＰＵＦＡレベルおよびω−３ｌｃ−ＰＵＦＡレベルを監視し、さらに場合によりアラキドン酸対エイコサペンタエン酸の比率を監視し、または
（ｖｉ）対象の血中ｌｃ−ＰＵＦＡレベルに基づいてω−３ｌｃ−ＰＵＦＡの投薬量を調整する、
請求項５に記載の組成物。
【手続補正２】
【補正対象書類名】明細書
【補正対象項目名】０１０３
【補正方法】変更
【補正の内容】
【０１０３】
[0104]いろいろな具体的態様を詳しく説明し且つ記載してきたが、本発明の精神および範囲から逸脱することなく、いろいろな変更を行うことができるということは理解されるであろう。
本明細書は以下の発明の開示を包含する：
［１］ＡＤＨＤに感受性である対象を識別する方法であって、該対象が、ｍｃ−ＰＵＦＡのｌｃ−ＰＵＦＡへの効率のよいコンバーターであるか否かを決定することを含み、ここにおいて、効率のよいコンバーター状態が、ＡＤＨＤへの感受性を示す、前記方法。
［２］決定する工程が、約６：１より大である対象の体内のアラキドン酸対ジホモ−γ−リノレン酸の比率を測定することを含む、［１］に記載の方法。
［３］決定する工程が、全脂肪酸の約１０重量％より大である対象の体内のアラキドン酸レベルを測定することを含む、［１］に記載の方法。
［４］決定する工程が、約６：１より大である対象の体内のアラキドン酸対ジホモ−γ−リノレン酸の比率を測定し、そして全脂肪酸の約１０重量％より大である対象の体内のアラキドン酸レベルを測定することを含む、［１］に記載の方法。
［５］決定する工程が、全脂肪酸の約４％未満である対象の赤血球中のω−３指数を測定することを含む、［１］に記載の方法。
［６］決定する工程が、約３より大である対象の体内のアラキドン酸対エイコサペンタエン酸の比率を測定することを含む、［１］に記載の方法。
［７］決定する工程が、ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせより選択される脂肪酸デサチュラーゼ遺伝子中の単一ヌクレオチド多型性の存在を検出することを含む、［１］に記載の方法。
［８］決定する工程が、
ａ．約６より大である対象の体内のアラキドン酸対ジホモ−γ−リノレン酸の比率を測定し、または全脂肪酸の約１０重量％より大である対象の体内のアラキドン酸レベルを測定し、そして
ｂ．ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせより選択される脂肪酸デサチュラーゼ遺伝子中の単一ヌクレオチド多型性の存在を検出することを含む、［１］に記載の方法。
［９］対象が、反抗挑戦性障害、行為障害、反社会的人格障害、境界型人格障害、覚醒の一次障害、気分障害、双極性障害、不安障害、強迫性障害、ツレット症候群（Tourette syndrome）、学習障害および物質乱用から成る群より選択される臨床的適応症を有する、［１］に記載の方法。
［１０］ｍｃ−ＰＵＦＡのｌｃ−ＰＵＦＡへの効率のよいコンバーターであるＡＤＨＤ対象を処置するまたは予防する方法であって、ｍｃ−ＰＵＦＡのｌｃ−ＰＵＦＡへの効率のよいコンバーターであると決定された対象に、ＡＤＨＤを処置するまたは予防するのに有効なω−３ｌｃ−ＰＵＦＡを含む組成物の一定量を投与することを含む、前記方法。
［１１］対象が、約６：１より大である体内のアラキドン酸対ジホモ−γ−リノレン酸の比率を有する、［１０］に記載の方法。
［１２］対象が、全脂肪酸の約１０重量％より大である体内のアラキドン酸レベルを有する、［１０］に記載の方法。
［１３］対象が、約６：１より大である体内のアラキドン酸対ジホモ−γ−リノレン酸の比率を有し、そして全脂肪酸の約１０重量％より大である体内のアラキドン酸レベルを有する、［１０］に記載の方法。
［１４］対象が、全脂肪酸の約４％未満である赤血球中のω−３指数を有する、［１０］に記載の方法。
［１５］対象が、約３より大である体内のアラキドン酸対エイコサペンタエン酸の比率を有する、［１０］に記載の方法。
［１６］対象が、ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせから成る群より選択される脂肪酸デサチュラーゼ遺伝子中の単一ヌクレオチド多型性を有する、［１０］に記載の方法。
［１７］対象が、
ａ．約６：１より大である体内のアラキドン酸対ジホモ−γ−リノレン酸の比率、または全脂肪酸の約１０重量％より大である体内のアラキドン酸レベルを有し、そして
ｂ．ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせから成る群より選択される脂肪酸デサチュラーゼ遺伝子中の単一ヌクレオチド多型性を有する、［１０］に記載の方法。
［１８］対象が、反抗挑戦性障害、行為障害、反社会的人格障害、境界型人格障害、覚醒の一次障害、気分障害、双極性障害、不安障害、強迫性障害、ツレット症候群、学習障害および物質乱用から成る群より選択される臨床的適応症を有する、［１０］に記載の方法。
［１９］組成物が、エチルエステルの形のω−３ｌｃ−ＰＵＦＡを含む、［１０］に記載の方法。
［２０］組成物が、遊離酸の形のω−３ｌｃ−ＰＵＦＡを含む、［１０］に記載の方法。
［２１］組成物が、塩の形のω−３ｌｃ−ＰＵＦＡを含む、［１０］に記載の方法。
［２２］組成物が、該組成物中の脂肪酸の少なくとも約４５重量％の量でＥＰＡを含む、［１９］〜［２１］のいずれかに記載の方法。
［２３］組成物が、該組成物中の脂肪酸の少なくとも約５５重量％の量でＥＰＡを含む、［２２］に記載の方法。
［２４］組成物が、該組成物中の脂肪酸の少なくとも約７５重量％の量でＥＰＡを含む、［２３］に記載の方法。
［２５］組成物が、該組成物中の脂肪酸の少なくとも約９０重量％の量でＥＰＡを含む、［２４］に記載の方法。
［２６］組成物が、該組成物中の脂肪酸の少なくとも約１０重量％の量でＤＨＡを含む、［１９］〜［２１］のいずれかに記載の方法。
［２７］組成物が、該組成物中の脂肪酸の少なくとも約２０重量％の量でＤＨＡを含む、［２６］に記載の方法。
［２８］組成物が、該組成物中の脂肪酸の少なくとも約３０重量％の量でＤＨＡを含む、  ［２７］に記載の方法。
［２９］組成物が、約４．１：１のＥＰＡ対ＤＨＡ重量比でＥＰＡおよびＤＨＡを含む、［１９］〜［２１］のいずれかに記載の方法。
［３０］組成物が、約１．２４：１〜約１．４３：１のＥＰＡ対ＤＨＡ重量比でＥＰＡおよびＤＨＡを含む、［１９］〜［２１］のいずれかに記載の方法。
［３１］ＥＰＡおよびＤＨＡが、エチルエステルの形である、［２９］または［３０］に記載の方法。
［３２］組成物が、該組成物中の脂肪酸の少なくとも約９６重量％の量でＥＰＡを含み、そして検出可能なＤＨＡを含まない、［１９］〜［２１］のいずれかに記載の方法。
［３３］ＥＰＡが、エチルエステルの形である、［３２］に記載の方法。
［３４］組成物が、該組成物中の脂肪酸の約１０重量％以下のω−６脂肪酸を含む、［１９］〜［２１］のいずれかに記載の方法。
［３５］組成物が、該組成物中の脂肪酸の約７重量％以下のω−６脂肪酸を含む、［３４］に記載の方法。
［３６］組成物が、該組成物中の脂肪酸の約４重量％以下のω−６脂肪酸を含む、［３５］に記載の方法。
［３７］組成物を経口投与する、［１０］に記載の方法。
［３８］組成物を、低脂肪食と一緒に投与する、［１０］に記載の方法。
［３９］ＡＤＨＤを処置するまたは予防するのに有効なω−３ｌｃ−ＰＵＦＡの量が、少なくとも２ｇ／日である、［１０］に記載の方法。
［４０］ＡＤＨＤを処置するまたは予防するのに有効なω−３ｌｃ−ＰＵＦＡの量が、少なくとも４ｇ／日である、［３９］に記載の方法。
［４１］ＡＤＨＤ療法を必要としている対象にＡＤＨＤ療法を与える方法であって、
ａ．該対象が、ｍｃ−ＰＵＦＡのｌｃ−ＰＵＦＡへの効率のよいコンバーターであるか否かを決定し；
ｂ．該対象に有効量のＡＤＨＤ療法を投与し；そして
ｃ．ｍｃ−ＰＵＦＡのｌｃ−ＰＵＦＡへの効率のよいコンバーターであると決定された対象に、ＡＤＨＤを処置するまたは予防するのに有効なω−３ｌｃ−ＰＵＦＡを含む組成物の一定量を補助的に投与することを含む、
前記方法。
［４２］ＡＤＨＤ療法を必要としている対象にＡＤＨＤ療法を与える方法における改善であって、
ａ．該対象が、ｍｃ−ＰＵＦＡのｌｃ−ＰＵＦＡへの効率のよいコンバーターであるか否かを決定し；
ｂ．該対象に有効量のＡＤＨＤ療法を投与し；そして
ｃ．ｍｃ−ＰＵＦＡのｌｃ−ＰＵＦＡへの効率のよいコンバーターであると決定された対象に、ＡＤＨＤを処置するまたは予防するのに有効なω−３ｌｃ−ＰＵＦＡを含む組成物の一定量を、ＡＤＨＤ療法と一緒に補助的に投与することを含む、
前記改善。
［４３］ＡＤＨＤ療法が、アンフェタミン、メチルフェニデート、メタンフェタミン塩酸塩、デキストロアンフェタミン、デクスメチルフェニデート、リスデキサムフェタミンジメシレート、アトモキセチン、アマンチジン、モダフィニル、ブプロピオン、ベンラファキシン、ミルナシプラン、レボキセチン、デシプラミン、ノルトリプチリン、クロニジン、グアンファシンおよびそれらの組み合わせから成る群より選択される、［４１］または［４２］に記載の方法。
［４４］対象が、約６：１より大である体内のアラキドン酸対ジホモ−γ−リノレン酸の比率を有する、［４１］または［４２］に記載の方法。
［４５］対象が、全脂肪酸の約１０重量％より大である体内のアラキドン酸レベルを有する、［４１］または［４２］に記載の方法。
［４６］対象が、約６：１より大である体内のアラキドン酸対ジホモ−γ−リノレン酸の比率を有し、そして全脂肪酸の約１０重量％より大である体内のアラキドン酸レベルを有する、［４１］または［４２］に記載の方法。
［４７］決定する工程が、全脂肪酸の約４％未満である対象の赤血球中のω−３指数を測定することを含む、［４１］または［４２］に記載の方法。
［４８］決定する工程が、約３より大である対象の体内のアラキドン酸対エイコサペンタエン酸の比率を測定することを含む、［４１］または［４２］に記載の方法。
［４９］対象が、ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせから成る群より選択される脂肪酸デサチュラーゼ遺伝子中の単一ヌクレオチド多型性を有する、［４１］または［４２］に記載の方法。
［５０］対象が、
ａ．約６：１より大である体内のアラキドン酸対ジホモ−γ−リノレン酸の比率、または全脂肪酸の約１０重量％より大である体内のアラキドン酸レベルを有し、そして
ｂ．ｒｓ１７４５３７、ｒｓ１０２２７５、ｒｓ１７４５４６、ｒｓ１７４５５６、ｒｓ１５３５、ｒｓ１７４５７６、ｒｓ１７４５７９、ｒｓ９６８５６７、ｒｓ１７３５３４、ｒｓ１７４５４９、ｒｓ１７４５５５、ｒｓ１７４５５６、ｒｓ１７４５６８、ｒｓ１７４５６７、ｒｓ４９８７９３、ｒｓ１７４５４５、ｒｓ１７４５４８およびそれらの組み合わせより選択される脂肪酸デサチュラーゼ遺伝子中の単一ヌクレオチド多型性を有する、［４１］または［４２］に記載の方法。
［５１］対象が、反抗挑戦性障害、行為障害、反社会的人格障害、境界型人格障害、覚醒の一次障害、気分障害、双極性障害、不安障害、強迫性障害、ツレット症候群、学習障害および物質乱用から成る群より選択される臨床的適応症を有する、［４１］または［４２］に記載の方法。
［５２］組成物が、エチルエステルの形のω−３ｌｃ−ＰＵＦＡを含む、［４１］または［４２］に記載の方法。
［５３］組成物が、遊離酸の形のω−３ｌｃ−ＰＵＦＡを含む、［４１］または［４２］に記載の方法。
［５４］組成物が、塩の形のω−３ｌｃ−ＰＵＦＡを含む、［４１］または［４２］に記載の方法。
［５５］組成物が、該組成物中の脂肪酸の少なくとも約４５重量％の量でＥＰＡを含む、［５２］〜［５４］のいずれかに記載の方法。
［５６］組成物が、該組成物中の脂肪酸の少なくとも約５５重量％の量でＥＰＡを含む、［５５］に記載の方法。
［５７］組成物が、該組成物中の脂肪酸の少なくとも約７５重量％の量でＥＰＡを含む、［５６］に記載の方法。
［５８］組成物が、該組成物中の脂肪酸の少なくとも約９０重量％の量でＥＰＡを含む、［５７］に記載の方法。
［５９］組成物が、該組成物中の脂肪酸の少なくとも約１０重量％の量でＤＨＡを含む、［５２］〜［５４］のいずれかに記載の方法。
［６０］組成物が、該組成物中の脂肪酸の少なくとも約２０重量％の量でＤＨＡを含む、［５９］に記載の方法。
［６１］組成物が、該組成物中の脂肪酸の少なくとも約３０重量％の量でＤＨＡを含む、［６０］に記載の方法。
［６２］組成物が、約４．１：１のＥＰＡ対ＤＨＡ重量比でＥＰＡおよびＤＨＡを含む、［５２］〜［５４］のいずれかに記載の方法。
［６３］組成物が、約１．２４：１〜約１．４３：１のＥＰＡ対ＤＨＡ重量比でＥＰＡおよびＤＨＡを含む、［５２］〜［５４］のいずれかに記載の方法。
［６４］ＥＰＡおよびＤＨＡが、エチルエステルの形である、［６２］または［６３］に記載の方法。
［６５］組成物が、該組成物中の脂肪酸の少なくとも約９６重量％の量でＥＰＡを含み、そして検出可能なＤＨＡを含まない、［５２］〜［５４］のいずれかに記載の方法。
［６６］ＥＰＡが、エチルエステルの形である、［６５］に記載の方法。
［６７］組成物が、該組成物中の脂肪酸の約１０重量％以下のω−６脂肪酸を含む、［５２］〜［５４］のいずれかに記載の方法。
［６８］組成物が、該組成物中の脂肪酸の約７重量％以下のω−６脂肪酸を含む、［６７］に記載の方法。
［６９］組成物が、該組成物中の脂肪酸の約４重量％以下のω−６脂肪酸を含む、［６８］に記載の方法。
［７０］組成物を経口投与する、［４１］または［４２］に記載の方法。
［７１］組成物を、低脂肪食と一緒に投与する、［４１］または［４２］に記載の方法。
［７２］ＡＤＨＤを処置するまたは予防するのに有効なω−３ｌｃ−ＰＵＦＡの量が、少なくとも２ｇ／日である、［４１］または［４２］に記載の方法。
［７３］ＡＤＨＤを処置するまたは予防するのに有効なω−３ｌｃ−ＰＵＦＡの量が、少なくとも４ｇ／日である、［７２］に記載の方法。
［７４］組成物を、ＡＤＨＤ療法に先だって投与後、ＡＤＨＤ療法と同時に投与する、［４１］または［４２］に記載の方法。
［７５］対象の血中ｌｃ−ＰＵＦＡレベルを監視する工程を更に含む、［４１］または［４２］に記載の方法。
［７６］対象の赤血球中のｌｃ−ＰＵＦＡレベルを監視する、［７５］に記載の方法。
［７７］ｌｃ−ＰＵＦＡレベルを、ガスクロマトグラフィーを用いて監視する、［７５］または［７６］に記載の方法。
［７８］ω−６ｌｃ−ＰＵＦＡのレベルを監視する、［７５］に記載の方法。
［７９］アラキドン酸のレベルを監視する、［７８］に記載の方法。
［８０］アラキドン酸対ジホモ−γ−リノレン酸の比率を監視する、［７８］に記載の方法。
［８１］ω−３脂肪酸のレベルを監視する、［７５］に記載の方法。
［８２］エイコサペンタエン酸のレベルを監視する、［８１］に記載の方法。
［８３］ドコサヘキサエン酸のレベルを監視する、［８１］に記載の方法。
［８４］ω−３指数を監視する、［７５］に記載の方法。
［８５］対象の血中のω−６ｌｃ−ＰＵＦＡレベルおよびω−３ｌｃ−ＰＵＦＡレベルを監視する、［７５］に記載の方法。
［８６］アラキドン酸対エイコサペンタエン酸の比率を監視する、［８５］に記載の方法。
［８７］対象の血中ｌｃ−ＰＵＦＡレベルに基づいてω−３ｌｃ−ＰＵＦＡの投薬量を調整することを更に含む、［７５］に記載の方法。